(57)【要約】【課題】  サーバとセンサ端末装置間にネットワーク接続装置を設けることにより、装置間の通信インタフェース仕様の差分を吸収し、通信インタフェースの異なる装置からの情報を収集して１つのデータベースを構築することを可能とし、また、そのデータベースを利用した各種の制御アプリソフトによる空調機等の情報端末の制御をも可能とする。【解決手段】  各種センサ装置から異なる通信インタフェースで通信される各種センサ情報を所定のフレームフォーマットに変換し、所定の通信プロトコルに従ってサーバと通信するネットワーク接続装置を設けることにより、統一された任意の通信インタフェースでサーバにセンサ情報を通信する。【選択図】  図１
2014063254.tif 000002
【特許請求の範囲】
【請求項１】
各種センサ装置から収集したセンサ情報をサーバ内にデータベースとして蓄積する情報ネットワークシステムにおいて、各種センサ装置から異なる通信インタフェースで通信される各種センサ情報を所定のフレームフォーマットに変換し、所定の通信プロトコルに従ってサーバと通信するネットワーク接続装置を設けることにより、統一された任意の通信インタフェースでサーバにセンサ情報を通信することを特徴とする情報ネットワークシステム。
【発明の詳細な説明】
【技術分野】
【０００１】
本発明は、通信インタフェースの異なる複数の各種センサ端末及び情報機器から、各種情報を収集し、また、情報端末を制御する情報を情報端末に送信する、情報ネットワークシステムに関する。
【背景技術】
【０００２】
既存のセンサ装置や情報端末は、各々の規格に基づいた通信インタフェースを有している。例えば、ある装置はＲＳ−２３２Ｃ規格に準拠しており、別の装置は１００ＢＡＳＥイーサ規格に準拠しており、また、そのフレームフォーマットも様々異なるといった状況である。したがって、複数の事業分野にまたがった各種装置の情報を一元管理したデータベースの構築は見当たらない。すなわち、装置間の通信インタフェースも異なり、伝達する情報自体も全く異種類の情報を一元的に集約するためのシステムは存在しなかった。同様に、共通のデータベースを利用して、事業分野の異なる情報端末を制御しているシステムも見当たらない。関連する先行技術文献としては、例えば特許文献１が挙げられる。特許文献１の発明は、同じエレベータに関する同種類のデータを想定しているものである。
【先行技術文献】
【特許文献】
【０００３】
【特許文献１】特開２００２−２４１０６０号公報
【発明の概要】
【発明が解決しようとする課題】
【０００４】
既存のセンサ装置や情報端末は、各々の規格に基づいた通信インタフェースを有している。例えば、ある装置はＲＳ−２３２Ｃ規格に準拠しており、別の装置は１００ＢＡＳＥイーサ規格に準拠しており、また、そのフレームフォーマットも様々異なるといった状況である。
このように異なった通信インタフェースを有する複数の装置からでは、１つの通信インタフェースしか有さないサーバにデータを集約して、１つのデータベースを構築することはできないという問題があった。
空調機のエコ制御を例に説明すると、温度情報、湿度情報、ＣＯ２情報、風速情報、ブレーカごとの電力情報などの多分野のセンサ情報を利用して空調機の制御を行えば、より理想的なエコ制御が可能となる。なぜなら、ＣＯ２濃度で人口密度を推定でき、不快指数は湿度や風速の関数となっているからである。また、ブレーカごとの電力情報を元に電力を平準化してピーク電力が出ないようにすれば、発電所から見た負荷を低減できるからである。
しかし、温度情報、ＣＯ２情報、ブレーカごとの電力情報などは、事業種分野が異なることもあって、通信インタフェースが異なることが一般的である。したがって、最適なエコ制御をする為の各種センサ情報を統合したデータベースの構築ができないという問題がある。また、制御対象である空調機等もエコ制御プログラムによって遠隔制御をしたい場合でも、装置インタフェースが異なっていては一律的な制御ができないという問題がある。
【０００５】
そこで本発明は、サーバとセンサ端末装置間にネットワーク接続装置を設けることにより、装置間の通信インタフェース仕様の差分を吸収し、通信インタフェースの異なる装置からの情報を収集して１つのデータベースを構築することを可能とし、また、そのデータベースを利用した各種の制御アプリソフトによる空調機等の情報端末の制御をも可能とすることにある。
【課題を解決するための手段】
【０００６】
上記課題は、各種センサ装置から収集したセンサ情報をサーバ内にデータベースとして蓄積する情報ネットワークシステムにおいて、各種センサ装置から異なる通信インタフェースで通信される各種センサ情報を所定のフレームフォーマットに変換し、所定の通信プロトコルに従ってサーバと通信するネットワーク接続装置を設けることにより、統一された任意の通信インタフェースでサーバにセンサ情報を通信することを特徴とする情報ネットワークシステムにより解決される。
【発明の効果】
【０００７】
本発明によれば、データベースを構築するサーバの入力インタフェースにおける通信インタフェースを統一できるので、異なった通信インタフェースを有する複数の装置からでも、収集する情報を一つのデータベースとして構築することが出来る。
また、制御対象である空調機等の装置インタフェースが異なっていても、サーバ側から一律の通信インタフェースによって、エコ制御などの遠隔制御を行うことが可能となる。
【図面の簡単な説明】
【０００８】
【図１】本発明に基づく情報ネットワークシステムの基本構成例を示すブロック図である。
【図２】ＲＳ−２３２Ｃに準拠するセンサ装置のフレームフォーマットの例を示す図である。
【図３】１００ＢＡＳＥイーサに準拠するセンサ装置のフレームフォーマットの例を示す図である。
【図４】ネットワーク接続装置によって変換されたフレームフォーマットの例を示す図である。
【図５】構築したデータベースの例を示す図である。
【図６】制御対象装置に対する制御の例を説明するための図である。
【発明を実施するための形態】
【０００９】
以下本発明を図示する実施形態に基づいて説明する。
図１は、本発明に基づく情報ネットワークシステムの基本構成例を示すブロック図である。図示のように、本ネットワークシステムは、ネットワーク３０に接続されたサーバ（データベース）１０、ネットワーク接続装置Ａ、および他の複数のネットワーク接続装置１・・・ｋ・・・ｎを有する。本ネットワークシステムには、ネットワーク接続装置Ａを介して空調機２０が接続され、またネットワーク接続装置１を介して複数のセンサ１−１・・・１−ｎが接続され、ネットワーク接続装置ｋを介して複数のセンサｋ−１・・・ｋ−ｎが接続され、ネットワーク接続装置ｎを介して複数のセンサｎ−１・・・ｎ−ｎが接続される。
【００１０】
各種センサの出力フォーマットは各々異なっている。例えば、図１に示すように、ネットワーク接続装置１系列のＲＳ−２３２Ｃ規格やネットワーク接続装置ｋ系列の１００ＢＡＳＥイーサ規格、もしくはネットワーク接続装置ｎ系列の独自のフォーマットで構成される場合も想定される。サーバが通信インタフェースの異なる情報を無制限に受信することは現実的ではない。そこで、ネットワーク接続装置が、各種センサ装置の通信インタフェースの差分を吸収すべく、各種センサ装置の出力フォーマットをサーバ受信フォーマットにフォーマット変換を行っている。
サーバから送信される情報については、各センサ装置のインタフェース仕様にあわせるための逆のフォーマット変換を行う。
センサから送信される情報で、例えば送信時刻情報が不足している場合には、ネットワーク接続装置にて必要情報を付加する。
【００１１】
図２は、ＲＳ−２３２Ｃ規格に基づくセンサ出力フォーマットの例を示している。図２（ａ）は、一般的ＲＳ−２３２Ｃのフレームフォーマットである。これは、スタートｂｉｔ、送信データ、ストップｂｉｔ、ＢＣＣ（Ｂｌｏｃｋ  Ｃｈｅｃｋ  Ｃｏｄｅ）を含む。図２（ｂ）は、センサ情報の送信データの例である。図示のように、Ｂｉｔ１６−ｂｉｔ１３はＩＤコード、Ｂｉｔ１２−ｂｉｔ９はセンサ種別、Ｂｉｔ８−ｂｉｔ１はセンサ情報である。
【００１２】
図３は、１００ＢＡＳＥイーサ規格に基づくセンサ出力フォーマットの例を示している。図３（ａ）は、一般的イーサフレームフォーマットである。これは、宛先アドレス、送信元アドレス、送信データ、ＦＣＳ（Ｆｒａｍｅ  Ｃｈｅｃｋ  Ｓｅｑｕｅｎｃｅ）を含む。図３（ｂ）は、センサ情報の送信データの例である。図示のように、Ｂｉｔ４８−ｂｉｔ４３はＩＤコード、Ｂｉｔ４２−ｂｉｔ３３はセンサ種別、Ｂｉｔ３２−ｂｉｔ２５は送信時刻、Ｂｉｔ２４−ｂｉｔ１７は制御情報、Ｂｉｔ１６−ｂｉｔ９はセンサ情報、Ｂｉｔ８−ｂｉｔ１は障害情報である。
【００１３】
図４は、ネットワーク接続装置とサーバ間のフレームフォーマットの例である。図４（ａ）は、一般的イーサフレームフォーマットである。図４（ｂ）は、センサ情報の送信データの例である。図４（ｃ）は、ＸＭＬで記述されたセンサ情報の例である。記述内容は下記のとおりである。
メッセージ種別  ＝  温・湿度メッセージ
データ発信時刻  ＝  ２０１０−１０−１５  １２：００：００
データ名  ＝  温度
センサタイプ  ＝  温・湿度
センサＩＤ  ＝  ＡＡＡ＿０１＿ＥＥ
温度  ＝  ２０．０℃
【００１４】
ネットワーク接続装置では、図２および図３に例示する異なるフレームフォーマット中の必要情報（図２（ｂ）、図３（ｂ））を抽出して、時刻情報などの不足情報を必要に応じて付加し、図４に例示するフレームフォーマットに変換して、所定の通信プロトコルに基づいてサーバと通信を行う。
【００１５】
図５は、構築したデータベースの例である。これは図示のように、ＩＤコード、送信時刻、受信時刻、センサ情報を含む。ＸＭＬパラメータとＤＢソーテイングとの関係が分かるものである。また、センサＩＤでソーテイングしたり、送信時間でソーテイングしたりすることが出来る。
【００１６】
図６を用いて、サーバから空調機等の情報端末に対する制御例について説明する。図示のように、サーバ６０内のデータベース６１のテーブルに、制御対象であるＮ台分の制御用テーブルを用意し、各テーブルに制御情報を設定する。効率のよいエコ制御を行うためのエコ制御プログラム６２が、制御対象装置６３Ａ、６３Ｂからネットワーク接続装置６４Ａ、６４Ｂ、およびネットワーク（ＬＡＮ）６５を介して収集したセンサ情報を用いて、適切な制御情報を各テーブルに設定する。サーバ６０は、情報端末からセンサ情報が送信された際に、その送信元ＩＰアドレスに対して、送信元ＩＰアドレスに対応する制御用テーブルに設定されている制御情報を、ネットワーク（ＬＡＮ）６５、およびネットワーク接続装置６４Ａ、６４Ｂを介して制御対象装置６３Ａ、６３Ｂへ送信する。制御用アプリソフトは、収集した温度センサ情報等を利用して、随時、制御用テーブルを書き換えることにより、目的に応じたエコ制御を行う。
【図１】
2014063254.tif 000003
【図２】
2014063254.tif 000004
【図３】
2014063254.tif 000005
【図４】
2014063254.tif 000006
【図５】
2014063254.tif 000007
【図６】
2014063254.tif 000008